(57)【要約】      （修正有）【課題】ケーシング駆動装置とケーシングを用いる地中掘削時におけるケーシングの倒れを防止して、作業者の安全を確保する。【解決手段】ケーシング１をケーシング駆動装置５にて回転駆動させ、ケーシング下端の刃部にて地中掘削する場合において、適宜部材をケーシング駆動装置およびケーシングに設け、該部材間をワイヤー３０にて接続することにより、ケーシング駆動装置とケーシングが破損分離した場合においても、ケーシング駆動装置にケーシングが吊下されることにより、掘削中のケーシングの倒れを防止するよう構成したことを特徴とする。【選択図】図９
0003233834.tif 000002
【実用新案登録請求の範囲】
【請求項１】
筒状のケーシングを設けるとともに、該ケーシング上部に、上部鍔部と下部鍔部を相互に所定距離を有して設け、該ケーシング下端に刃部を設け、該ケーシング側部に、地中掘削にてケーシング内に詰まる土の圧力を逃がすための角孔を複数個設け、ケーシング上端に六角柱を突設し、一方、ケーシング駆動装置を設けるとともに、このケーシング駆動装置は重機にジョイント接続にて吊下されるものとし、該ケーシング駆動装置下部に六角穴を設け、この六角穴に上記六角柱を相互に着脱可能に、ピンによる固定および固定解除手段を設け、ケーシング駆動装置側面に、その両端に接続孔を有する一対の有孔突片よりなるワイヤー接続部を設け、平板部と円弧部を有する一対の金属板体による挟持体を設けるとともに、該挟持体の平板部両端に、挿通孔と接続孔を設け、前記の上部鍔部と下部鍔部間にこの一対の挟持体を上記挿通孔を用いて相互螺着にて一体化するとともに、この螺着時において、この挟持体に対しケーシングは回動可能とし、前記のワイヤー接続部の孔と挟持体の接続孔間をワイヤーにて接続することにより、地中掘削時、ケーシング駆動装置に対してケーシングが分離した場合におけるケーシングの倒れを防止するよう構成したことを特徴とする、地中掘削ケーシング用ケーシング倒れ防止機構。
【請求項２】
ワイヤーに代えて有孔板体を用いてなる請求項１記載の地中掘削ケーシング用ケーシング倒れ防止機構。
【請求項３】
ワイヤーに代えてチェーンを用いてなる請求項１記載の地中掘削ケーシング用ケーシング倒れ防止機構。
【考案の詳細な説明】
【技術分野】
【０００１】  この考案は、ケーシング駆動装置を用いて地中掘削する場合において、ケーシング駆動装置に接続されるケーシングの不意の倒れを防止するための手段に関する。
【背景技術】
【０００２】  従来より、ケーシング駆動装置にてケーシングを回転させて地中掘削することが多用されているが、本考案にて示すように、このケーシングの不意の倒れを防止する手段は現在のところ見当たらない。
【考案の概要】
【考案が解決しようとする課題】
【０００３】  杭打ち等のために地中掘削をするとき、ケーシングが多用されている。
このケーシングは、鉄製筒体の下端に刃部を設けて、ケーシングの上端にケーシング駆動装置を接続し、このケーシング駆動装置を回転させることにて、地面上に立てられたケーシングが回転して掘削する仕組みである。なお、このケーシング駆動措置は市販品であり、重機にジョイント接続にて吊下される。ケーシング上端には六角柱が立設され、ケーシング駆動装置下端には六角穴が設けられて、この六角柱を六角穴に挿入し、ピンで固定してケーシング駆動装置とケーシングは接続される。
掘削時においては、六角柱に回転トルクが加えられるが、土中には石ころがあったり堅い箇所があったりし、またケーシングが地面に対して正しく鉛直でない場合もしばしばあり、このような理由で掘削中にこの六角柱が破損することもある。
あるいは長年の使用による金属疲労が破損の原因となることもある。
この六角柱が破損すると、ケーシング駆動装置に対するケーシングの固定は解除されて、掘削初期ではケーシングは地中に支えられないために倒れることとなり、極めて危険である。本考案は以上に鑑み、ケーシング駆動装置とケーシングが分離してもケーシングが倒れることのない新規かつ有用なる手段を提供することを目的として開発されたものである。
【課題を解決するための手段】
【０００４】  課題を解決する手段として本考案は以下の構成とした。すなわち、
筒状のケーシングを設けるとともに、該ケーシング上部に、上部鍔部と下部鍔部を相互に所定距離を有して設け、該ケーシング下端に刃部を設け、該ケーシング側部に、地中掘削にてケーシング内に詰まる土の圧力を逃がすための角孔を複数個設け、ケーシング上端に六角柱を突設し、一方、ケーシング駆動装置を設けるとともに、このケーシング駆動装置は重機にジョイント接続にて吊下されるものとし、該ケーシング駆動装置下部に六角穴を設け、この六角穴に上記六角柱を相互に着脱可能に、ピンによる固定および固定解除手段を設け、ケーシング駆動装置側面に、その両端に接続孔を有する一対の有孔突片よりなるワイヤー接続部を設け、平板部と円弧部を有する一対の金属板体による挟持体を設けるとともに、該挟持体の平板部両端に、挿通孔と接続孔を設け、前記の上部鍔部と下部鍔部間にこの一対の挟持体を上記接続孔を用いて相互螺着にて一体化するとともに、この螺着時において、この挟持体に対しケーシングは回動可能とし、前記のワイヤー接続部の孔と挟持体の接続孔間をワイヤーにて接続することにより、地中掘削時、ケーシング駆動装置に対してケーシングが分離した場合におけるケーシングの倒れを防止するよう構成する。
本考案は以上の構成よりなる、地中掘削ケーシング用ケーシング倒れ防止機構である。
【考案の効果】
【０００５】  本考案によれば、ケーシング駆動装置に対してケーシングがワイヤー等にて吊下可能に接続されるので、万一にでもケーシング駆動装置とケーシングが掘削作業中に分離しても、ケーシングは吊下されるので、不意の転倒事故を防止することのできる有用な手段を得ることができる。なお、ワイヤーに代えて，有孔板体やチェーン等を用いても同様の効果を得ることができる。
【図面の簡単な説明】
【０００６】
【図１】従来例の掘削説明図
【図２】従来例と本考案のケーシング駆動装置比較図
【図３】従来例と本考案のケーシング比較図
【図４】本考案の挟持体の平面図
【図５】本考案の挟持体の正面図
【図６】シャックルの正面図
【図７】シャックルの右側面図
【図８】本考案の接続板の平面図
【図９】本考案の使用説明図（ワイヤー使用）
【図１０】本考案の使用説明図（チェーン使用）
【図１１】本考案の使用説明図（接続板使用）
【図１２】本考案の使用説明図（直付けワイヤー接続部使用）
【考案を実施するための形態】
【０００７】  以下、本考案の実施形態について説明する。
図において、１はケーシングで、鉄製筒体を主要部として形成される。２は角孔で、図１および図３にて示すごとくケーシング側面に複数個が設けられ、ケーシング掘削により中に詰まる土の圧力を逃がす役割を有している。３はケーシング端に設けられる刃部、４はケーシング他端に設けられる六角柱である。５は公知のケーシング駆動装置で、その下部には六角穴が設けられている。このケーシング駆動装置は重機にジョイント接続される。
ケーシング駆動装置には側面に孔が穿設され、前記六角柱には半円形溝が形成され、ケーシング駆動装置を六角柱に差し込んだとき、この孔と溝の位置は一致して、ここにピンを圧入することにて、ケーシング駆動装置とケーシングは一体化する。
以上が公知技術としての構成である。
【０００８】  １０はケーシング駆動装置円柱部側面に対称形に突設される板状のワイヤー接続部、１１は該ワイヤー接続部に穿設される接続孔である。２０はケーシングに固定される挟持体で、その中央に円弧部２１を有する金属板体で一対が使用される。非円弧部には図４にて示すように、ボルトの挿通孔２２とワイヤーのための接続孔２３が穿設される。
３０は市販のシャックルである。Ｕ形の端部は膨大してここに孔が設けられており、この孔にボルト３１が挿通され、ナット３２にて締め込まれる。
また、一般のケーシングには鍔部はないが、本考案にて用いるケーシングには上部鍔部４０と下部鍔部４１がケーシングに溶接固定され、これらは金属製環体板である。
【０００９】  次に本考案を使用する手順について説明する。
１．地上に寝かせた状態のケーシング端に、環状板体よりなる上部鍔部を溶着し、この上部鍔部より若干の距離を有して下部鍔部を溶着する。
２．一対の挟持体を、上部鍔部と下部鍔部との間にあてがい、ボルトとナットにて締め込んで、この挟持体をケーシングにゆるく固定する。従って、ケーシングに対し挟持体は回動可能である。
３．挟持体の接続孔にシャックルを取り付け、ケーシング駆動装置の接続孔にも同様にシャックルを取り付ける。
４．ケーシングの六角柱にケーシング駆動装置の六角穴を挿入し、双方のシャックル間に、両端に環状部を有するワイヤーを取り付ける。
以上にて準備が完了する。
この状態にて掘削を開始するが、ケーシング駆動装置上部は非回転で下部は回転し、従って、ケーシングも回転するが、挟持体はケーシングに対しゆるく取り付いており、非回転である。万一、六角柱が破損してケーシング駆動装置とケーシングが分離しても、ケーシングはワイヤーにてケーシング駆動装置に吊下されるので、ケーシングの倒れは防止される。なお、双方の鍔部にて，ケーシングに取り付けた挟持体位置は安定する。
【００１０】  図１０から図１２は本考案の他例を示すものである。
図１０は、ワイヤーに代えてチェーンを用いた例、図１１は接続板体５２を用いた例である。接続板体は図８に示すように、細長板体の両端近傍に長穴５３を穿設し、この長穴にシャックルを挿通して用いる。
なお、既述の例ではワイヤー等を２本用いたが、簡略手段として片側１本として用いることもできる。また、ワイヤー等を使用の度にケーシングに取り付けるのではなく、ケーシングに常時取り付けておいてもよい。
以上記したように、本考案はケーシング駆動装置とケーシングをワイヤー等にて接続することにより、ケーシング駆動装置に対するケーシングの接続部としての六角柱の折れ等による破損時でも、ケーシングは吊下されているので，従来手段でありがちであったケーシングの倒れを防止して、作業者の安全を確保することのできる、有用なる手段を提供することができる。なお、既述例は実施の一例であって、近似の他の構成としてもよい。
以上のごとく、本考案によって、地中掘削作業における作業者の安全を得ることができる。
【符号の説明】
【００１１】  １    ケーシング
２    角孔
３    刃部
４    六角柱
５    ケーシング駆動装置
６    ジョイント
１０  ワイヤー接続部
１１  接続孔
２０  挟持体
２１  円弧部
２２  挿通孔
２３  接続孔
３０  シャックル
３１  ボルト
３２  ナット
４０  上部鍔部
４１  下部鍔部
５０  ワイヤー
５１  チェーン
５２  接続板体
５３  長穴
５５  重機
【図１】
0003233834.tif 000003
【図２】
0003233834.tif 000004
【図３】
0003233834.tif 000005
【図４】
0003233834.tif 000006
【図５】
0003233834.tif 000007
【図６】
0003233834.tif 000008
【図７】
0003233834.tif 000009
【図８】
0003233834.tif 000010
【図９】
0003233834.tif 000011
【図１０】
0003233834.tif 000012
【図１１】
0003233834.tif 000013
【図１２】
0003233834.tif 000014